(57)【要約】【課題】記録媒体をより安定且つ確実に保持することの出来る記録媒体搬送装置及びインクジェット記録装置を提供する。【解決手段】搬送部（１０）は、記録媒体（Ｐ）を載置させる搬送ベルト（１３）と、搬送ベルトを周回移動させて、ヘッドユニット（２１）のインク吐出面と対向させる範囲を少なくとも含む範囲で記録媒体を搬送する搬送ローラー（１１、１２）と、載置された記録媒体を搬送ベルトに吸着させる吸引部（１５）と、載置される記録媒体を搬送ベルトに対して押下することで搬送ベルトからの浮き上がりを抑制する押さえローラー（１８）と、押さえローラーと搬送ベルトの外周面との距離を変更させる移動動作部と、搬送対象の記録媒体の厚さを取得する媒体厚取得部と、媒体厚取得部により取得された記録媒体の厚さが大きいほど相対距離が大きくなるように移動動作部の動作を制御する制御部と、を備える。【選択図】図１
2018034937.tif 000002
【特許請求の範囲】
【請求項１】
記録媒体を載置させる搬送部材と、
前記搬送部材を周回移動させて、インクを吐出するインク吐出部のインク吐出面と対向させる範囲を少なくとも含む範囲で記録媒体を搬送する搬送動作部と、
前記搬送部材上に載置された記録媒体を当該搬送部材に吸着させる吸着動作部と、
前記搬送部材上に載置される記録媒体を前記搬送部材に対して押下することで、前記記録媒体の前記搬送部材からの浮き上がりを抑制する浮上防止部と、
前記浮上防止部と前記搬送部材における記録媒体の載置面との相対距離を変更させる移動動作部と、
搬送対象の記録媒体の厚さを取得する媒体厚取得部と、
前記媒体厚取得部により取得された記録媒体の厚さが大きいほど前記相対距離が大きくなるように前記移動動作部の動作を制御する制御部と、
を備えることを特徴とする記録媒体搬送装置。
【請求項２】
前記記録媒体の厚さと前記相対距離との対応関係を記憶する対応記憶部を備え、
前記制御部は、前記対応関係に応じて前記移動動作部により前記相対距離を変更させる
ことを特徴とする請求項１記載の記録媒体搬送装置。
【請求項３】
前記浮上防止部は、少なくとも、前記記録媒体が前記インク吐出面と対向する位置よりも前記記録媒体の搬送方向について上流側に設けられていることを特徴とする請求項１又は２記載の記録媒体搬送装置。
【請求項４】
前記浮上防止部は、前記吸着動作部による吸着範囲外で前記記録媒体を前記搬送部材に対して押下することを特徴とする請求項１〜３の何れか一項に記載の記録媒体搬送装置。
【請求項５】
前記搬送部材は、無端状の帯状部材を含み、
前記搬送動作部は、前記帯状部材が架け渡される複数の回転動作部と、前記回転動作部の少なくとも一部を回転動作させて前記帯状部材を周回移動させる周回駆動部と、を有し、前記記録媒体を前記帯状部材の外周面上に載置させて当該記録媒体を搬送する
ことを特徴とする請求項１〜４の何れか一項に記載の記録媒体搬送装置。
【請求項６】
前記吸着動作部は、前記帯状部材の開口を介して吸引動作を行うことで、前記帯状部材の外周面に記録媒体を吸着させる
ことを特徴とする請求項５記載の記録媒体搬送装置。
【請求項７】
前記帯状部材の外周面が前記インク吐出面と対向する位置を少なくとも含む範囲で前記帯状部材を支持する支持部材を備え、
前記吸着動作部は、前記支持部材及び前記帯状部材のそれぞれにおける開口を介して吸引動作を行うことで、前記帯状部材の外周面に記録媒体を吸着させる
ことを特徴とする請求項５記載の記録媒体搬送装置。
【請求項８】
前記帯状部材は、スチールベルトであることを特徴とする請求項５〜７の何れか一項に記載の記録媒体搬送装置。
【請求項９】
前記帯状部材を挟んで前記浮上防止部の反対側には、前記帯状部材の移動動作を誘導するガイド部材が設けられていることを特徴とする請求項５〜８の何れか一項に記載の記録媒体搬送装置。
【請求項１０】
前記浮上防止部は、ローラーと、前記ローラーを回転動作させるローラー動作部と、を有し、
前記ローラーは、搬送される記録媒体の前記載置面と当接させる面とは反対側の面と当接し、
前記ローラー動作部は、搬送される記録媒体の移動速度と同期して前記ローラーを回転動作させる
ことを特徴とする請求項１〜９の何れか一項に記載の記録媒体搬送装置。
【請求項１１】
搬送される記録媒体の厚さに応じた値を計測する計測部を備え、
前記媒体厚取得部は、前記計測部の計測結果に基づいて前記記録媒体の厚さを取得することを特徴とする請求項１〜１０の何れか一項に記載の記録媒体搬送装置。
【請求項１２】
搬送される記録媒体の厚さに応じた値を計測する計測部と、
所定の報知動作を行う報知動作部と、
を備え、
前記媒体厚取得部は、予め記録媒体の厚さに係る情報を外部から取得し、
前記制御部は、前記計測部の計測結果に基づく前記記録媒体の厚さと、予め外部から取得されている情報に基づく厚さとを比較して、前記記録媒体の厚さに所定の基準範囲以上のずれがある場合には、前記報知動作部に所定の報知動作を行わせる
ことを特徴とする請求項１〜１０の何れか一項に記載の記録媒体搬送装置。
【請求項１３】
外部からの入力操作を受け付ける操作受付部を備え、
前記媒体厚取得部は、前記操作受付部により受け付けられた入力操作の内容に基づいて前記記録媒体の厚さを取得する
ことを特徴とする請求項１〜１２の何れか一項に記載の記録媒体搬送装置。
【請求項１４】
請求項１〜１３の何れか一項に記載の記録媒体搬送装置と、
前記インク吐出部と、
を備えることを特徴とするインクジェット記録装置。
【発明の詳細な説明】
【技術分野】
【０００１】
この発明は、記録媒体搬送装置及びインクジェット記録装置に関する。
【背景技術】
【０００２】
従来、記録媒体に対してインク液滴を吐出して当該記録媒体上に画像を記録するインクジェット記録装置がある。多くのインクジェット記録装置では、インク液滴を吐出するインクジェットヘッドと記録媒体とを相対移動させることで、記録媒体上に二次元画像を記録する。通常、インクジェット記録装置では、多くの記録媒体に高速で続けて画像の記録を行うために、少なくとも記録媒体が搬送可能に構成され、媒体供給部から供給された記録媒体上に画像を記録した後に、当該記録媒体を媒体排出部に排出する。
【０００３】
インクジェット記録装置による記録画像の高精度化に伴って、記録媒体を搬送する搬送部による搬送にも高精度が要求されている。特許文献１には、ローラーに巻き掛けられた無端状ベルトにより記録媒体を搬送する構成を有するインクジェット記録装置において、無端状ベルトがインクジェットヘッドと対向する部分で当該無端状ベルトに記録媒体を適切に吸着させることで、記録媒体の平面を維持する技術について開示されている。
【先行技術文献】
【特許文献】
【０００４】
【特許文献１】特開２００４−２１０５３０号公報
【発明の概要】
【発明が解決しようとする課題】
【０００５】
しかしながら、記録媒体が無端状ベルトから浮きを生じた状態で当該無端状ベルト上に送られると、無端状ベルトに記録媒体が確実に吸着されずに保持されないという課題がある。一方で、無端状ベルトに記録媒体を確実に接触させるために記録媒体を無端状ベルトに押し付ける押さえ部材を備える場合、記録媒体の厚さ、剛性や湾曲などに応じて当該記録媒体がこの押さえ部材に衝突したり、当該記録媒体が搬送されて押さえ部材と搬送面との間から外れて押さえ部材にかかる抗力が急激に変化したりした場合に、押さえ部材が振動してこの振動が更に無端状ベルトや記録媒体に伝播することで記録媒体の位置が安定せずにぶれて、インクの着弾位置が正確な位置からずれる虞があるという課題がある。
【０００６】
この発明の目的は、記録媒体をより安定且つ確実に保持することの出来る記録媒体搬送装置及びインクジェット記録装置を提供することにある。
【課題を解決するための手段】
【０００７】
上記目的を達成するため、請求項１記載の発明は、
記録媒体を載置させる搬送部材と、
前記搬送部材を周回移動させて、インクを吐出するインク吐出部のインク吐出面と対向させる範囲を少なくとも含む範囲で記録媒体を搬送する搬送動作部と、
前記搬送部材上に載置された記録媒体を当該搬送部材に吸着させる吸着動作部と、
前記搬送部材上に載置される記録媒体を前記搬送部材に対して押下することで、前記記録媒体の前記搬送部材からの浮き上がりを抑制する浮上防止部と、
前記浮上防止部と前記搬送部材における記録媒体の載置面との相対距離を変更させる移動動作部と、
搬送対象の記録媒体の厚さを取得する媒体厚取得部と、
前記媒体厚取得部により取得された記録媒体の厚さが大きいほど前記相対距離が大きくなるように前記移動動作部の動作を制御する制御部と、
を備えることを特徴とする記録媒体搬送装置である。
【０００８】
また、請求項２記載の発明は、請求項１記載の記録媒体搬送装置において、
前記記録媒体の厚さと前記相対距離との対応関係を記憶する対応記憶部を備え、
前記制御部は、前記対応関係に応じて前記移動動作部により前記相対距離を変更させる
ことを特徴としている。
【０００９】
また、請求項３記載の発明は、請求項１又は２記載の記録媒体搬送装置において、
前記浮上防止部は、少なくとも、前記記録媒体が前記インク吐出面と対向する位置よりも前記記録媒体の搬送方向について上流側に設けられていることを特徴としている。
【００１０】
また、請求項４記載の発明は、請求項１〜３の何れか一項に記載の記録媒体搬送装置において、
前記浮上防止部は、前記吸着動作部による吸着範囲外で前記記録媒体を前記搬送部材に対して押下することを特徴としている。
【００１１】
また、請求項５記載の発明は、請求項１〜４の何れか一項に記載の記録媒体搬送装置において、
前記搬送部材は、無端状の帯状部材を含み、
前記搬送動作部は、前記帯状部材が架け渡される複数の回転動作部と、前記回転動作部の少なくとも一部を回転動作させて前記帯状部材を周回移動させる周回駆動部と、を有し、前記記録媒体を前記帯状部材の外周面上に載置させて当該記録媒体を搬送する
ことを特徴としている。
【００１２】
また、請求項６記載の発明は、請求項５記載の記録媒体搬送装置において、
前記吸着動作部は、前記帯状部材の開口を介して吸引動作を行うことで、前記帯状部材の外周面に記録媒体を吸着させる
ことを特徴としている。
【００１３】
まあ、請求項７記載の発明は、請求項５記載の記録媒体搬送装置において、
前記帯状部材の外周面が前記インク吐出面と対向する位置を少なくとも含む範囲で前記帯状部材を支持する支持部材を備え、
前記吸着動作部は、前記支持部材及び前記帯状部材のそれぞれにおける開口を介して吸引動作を行うことで、前記帯状部材の外周面に記録媒体を吸着させる
ことを特徴としている。
【００１４】
また、請求項８記載の発明は、請求項５〜７の何れか一項に記載の記録媒体搬送装置において、
前記帯状部材は、スチールベルトであることを特徴としている。
【００１５】
また、請求項９記載の発明は、請求項５〜８の何れか一項に記載の記録媒体搬送装置において、
前記帯状部材を挟んで前記浮上防止部の反対側には、前記帯状部材の移動動作を誘導するガイド部材が設けられていることを特徴としている。
【００１６】
また、請求項１０記載の発明は、請求項１〜９の何れか一項に記載の記録媒体搬送装置において、
前記浮上防止部は、ローラーと、前記ローラーを回転動作させるローラー動作部と、を有し、
前記ローラーは、搬送される記録媒体の前記載置面と当接させる面とは反対側の面と当接し、
前記ローラー動作部は、搬送される記録媒体の移動速度と同期して前記ローラーを回転動作させる
ことを特徴としている。
【００１７】
また、請求項１１記載の発明は、請求項１〜１０の何れか一項に記載の記録媒体搬送装置において、
搬送される記録媒体の厚さに応じた値を計測する計測部を備え、
前記媒体厚取得部は、前記計測部の計測結果に基づいて前記記録媒体の厚さを取得することを特徴としている。
【００１８】
また、請求項１２記載の発明は、請求項１〜１０の何れか一項に記載の記録媒体搬送装置において、
搬送される記録媒体の厚さに応じた値を計測する計測部と、
所定の報知動作を行う報知動作部と、
を備え、
前記媒体厚取得部は、予め記録媒体の厚さに係る情報を外部から取得し、
前記制御部は、前記計測部の計測結果に基づく前記記録媒体の厚さと、予め外部から取得されている情報に基づく厚さとを比較して、前記記録媒体の厚さに所定の基準範囲以上のずれがある場合には、前記報知動作部に所定の報知動作を行わせる
ことを特徴としている。
【００１９】
また、請求項１３記載の発明は、請求項１〜１２の何れか一項に記載の記録媒体搬送装置において、
外部からの入力操作を受け付ける操作受付部を備え、
前記媒体厚取得部は、前記操作受付部により受け付けられた入力操作の内容に基づいて前記記録媒体の厚さを取得する
ことを特徴としている。
【００２０】
また、請求項１４記載の発明は、
請求項１〜１３の何れか一項に記載の記録媒体搬送装置と、
前記インク吐出部と、
を備えることを特徴とするインクジェット記録装置である。
【発明の効果】
【００２１】
本発明に従うと、記録媒体搬送装置において、記録媒体をより安定且つ確実に保持することが出来るという効果がある。
【図面の簡単な説明】
【００２２】
【図１】搬送部を含むインクジェット記録装置の全体構成を示す図である。
【図２】押さえローラー周辺の構造を拡大した図である。
【図３】インクジェット記録装置の機能構成を示すブロック図である。
【図４】押さえローラーと記録媒体との位置関係について説明する図である。
【図５】搬送開始制御処理の制御手順を示すフローチャートである。
【図６】インクジェット記録装置の全体構成の変形例を示す図である。
【発明を実施するための形態】
【００２３】
以下、本発明の実施の形態を図面に基づいて説明する。
図１は、本実施形態の記録媒体搬送装置である搬送部１０を含むインクジェット記録装置１００の全体構成を示す図である。
【００２４】
インクジェット記録装置１００は、媒体供給部３０と、搬送部１０と、画像記録部２０と、媒体排出部４０などを備える。
【００２５】
媒体供給部３０は、載置トレー３１と媒体出力部３２などを備える。
載置トレー３１は、枚葉紙、厚紙、段ボール材や樹脂板などの各種個別の記録媒体Ｐが重ねて載置可能な板状の部材であり、最上部に載置された記録媒体Ｐから順に搬送部１０へと送出される。載置トレー３１は、上下方向に移動可能であり、載置された記録媒体Ｐの全重量などに応じて最上の記録媒体Ｐが搬送部１０へ送出される位置で保持される。載置トレー３１の高さの変更度合いは、設定などにより記録媒体Ｐの種別に応じて調整可能であっても良い。
【００２６】
媒体出力部３２は、例えば、送出する記録媒体Ｐを上下から挟持する回転自在なローラーを有し、記録媒体Ｐをここでは水平方向に送出する。記録媒体Ｐを挟持する２つのローラーは、記録媒体Ｐの厚さに応じて幅を可変に移動動作し、フィーダー検出部２３２（図３参照）により当該幅が制御部６０（図３参照）に出力される。
また、媒体出力部３２は、更に、ガイドローラー１６の直近まで支持板１４の上面（支持面）と同じ高さで記録媒体Ｐを載置して送出する無端状の送出ベルト及び当該送出ベルトが架け渡された２つのローラーなどを備えていても良い。
【００２７】
搬送部１０は、記録媒体Ｐを媒体供給部３０から受けて搬送し、媒体排出部４０へ送出する。搬送部１０は、駆動ローラー１１と、従動ローラー１２と、搬送ベルト１３（搬送部材）と、支持板１４（プラテン；支持部材）と、吸引部１５と、ガイドローラー１６、１７（ガイド部材）と、押さえローラー１８（浮上防止部）と、テンションローラー１９などを備える。
【００２８】
搬送ベルト１３は、無端状のベルト（帯状部材）であって、ここではスチールベルトが用いられる。スチールベルトの材質としては、例えば、ＳＵＳ３０４、ＳＵＳ６３１やアルミ合金などが挙げられる。搬送ベルト１３は、駆動ローラー１１及び従動ローラー１２（回転動作部；まとめて搬送ローラー１１、１２とも記す）の間に架け渡されており、駆動ローラー１１が搬送モーター２１１（図３参照）の回転動作に応じて回転することで当該回転速度及び回転方向に従って周回移動する。ここでは、駆動ローラー１１が図１の面内において反時計回りすることで搬送ベルト１３が通常の記録媒体Ｐの搬送方向に移動する。搬送ベルト１３の外周面（即ち、搬送ローラー１１、１２と接しない側の面；載置面）には、媒体供給部３０から送出された記録媒体Ｐが載置されて、当該記録媒体Ｐは、搬送ベルト１３の移動に伴って搬送される。
【００２９】
支持板１４は、搬送ベルト１３の２つの搬送ローラー１１、１２の間の区間において、搬送される記録媒体Ｐ、即ち、搬送ベルト１３の外周面がヘッドユニット２１のインク吐出面と対向する一方の区間における当該対向する部分を含む範囲で搬送ベルト１３の内周面（搬送ローラー１１、１２と接触する側の面）を平面（ここでは水平面）で支持する。この平面をなす支持板１４の上面（支持面）は、駆動ローラー１１と従動ローラー１２の上端間を結んだ線よりも高い位置で水平方向に配置されている。支持板１４により支持された搬送ベルト１３は、媒体供給部３０から水平方向に送出された記録媒体Ｐを鉛直方向について位置の変化を生じさせずに載置させながらこの支持板１４上で移動させる。
支持板１４は、搬送方向に長い方が画像記録部２０による画像記録時に記録媒体Ｐをより安定させやすいが、水平方向に占める面積が増大する。従って、支持板１４は、適切な長さ、例えば、記録媒体Ｐの搬送方向についての長さ（単一サイズであれば当該単一サイズに基づき、複数サイズの記録媒体Ｐに対して画像記録が可能な場合には、標準的な長さ又は最大の長さなどに基づく）程度に好ましく定められる。
【００３０】
搬送ベルト１３及び支持板１４は、多数の孔部（開口）を有し、空気が透過可能となっている。支持板１４としては、ここでは、上面を平面状に加工した発泡部材といった各種周知の多孔質（ポーラス）体が用いられる。搬送ベルト１３の孔部のサイズ、数及び配置は、記録媒体Ｐの載置が均一に行われる範囲内で定められている。
【００３１】
吸引部１５は、支持板１４の下方、即ち、搬送ベルト１３に当接する側とは反対側に設けられ、これら搬送ベルト１３及び支持板１４の孔部を介して搬送ベルト１３の外周面側から空気の吸引動作を行うことで当該搬送ベルト１３の外周面に載置された記録媒体Ｐを搬送ベルト１３に吸着させる。
【００３２】
搬送ベルト１３の移動方向（記録媒体Ｐの搬送方向）について、支持板１４の上流側には、ガイドローラー１６が設けられ、また、支持板１４の下流側には、ガイドローラー１７が設けられている。ガイドローラー１６、１７は、搬送ベルト１３を支持面の両端外側で支持する。
【００３３】
ガイドローラー１６、１７は、それぞれ支持板１４の支持面と略同一の高さで搬送ベルト１３を支持し、搬送ベルト１３の周回移動時の移動動作を誘導する。即ち、搬送ベルト１３は、従動ローラー１２と接する位置から鉛直方向上向きの成分を含んでガイドローラー１６と接する位置まで移動し、水平方向に向きを変えて支持板１４の支持面と接する位置に移動する。また、支持板１４の支持面と接する位置から移動する搬送ベルト１３は、そのまま水平方向に移動してガイドローラー１７と接する位置まで移動し、それから鉛直方向下向きの成分を含んで駆動ローラー１１と接する位置へ移動する。
ここで、略同一の高さとは、例えば、記録媒体Ｐを搬送ベルト１３に載置させるときに、ガイドローラー１６の位置が高いために当該搬送ベルト１３に衝突したり、押さえローラー１８で押し下げる際にずれが大きくて記録媒体Ｐが歪んだりといったことがない範囲、即ち、記録媒体Ｐの硬さやサイズ（厚さを含む）に対して大きすぎない範囲であれば良く、簡単な目視レベル、例えば、１〜２ｃｍ以下程度のずれ、角度にして１〜２度以下程度のずれは、通常許容され得る。
【００３４】
図２は、押さえローラー１８周辺の構造を拡大した図である。
押さえローラー１８は、搬送ベルト１３を挟んでガイドローラー１６と対向する位置で回転可能に設けられたローラーである。押さえローラー１８は、記録媒体Ｐに対するインクの吐出位置（記録媒体Ｐがインク吐出面と対向する位置）に対して搬送方向について上流側において、媒体供給部３０から送出された記録媒体Ｐの搬送ベルト１３（支持板１４）からの浮き上がりを抑制してより確実に吸着されるように、適宜な圧力で搬送ベルト１３に対して押圧（押下）して搬送ベルト１３に沿って誘導する。記録媒体Ｐには、しばしば供給時から先端にカール（巻き上がり）が生じる。例えば、記録媒体Ｐが湿気を吸収したり吸収した湿気が再度蒸発乾燥したりといった状態変化によってカールが生じ得る。また、特に、インクの好適な着弾温度などに応じて記録媒体Ｐが加熱されて搬送部１０に供給される場合には、この加熱により記録媒体Ｐにカールが大きくなることもある。押さえローラー１８は、このようなカールの影響を抑制し、支持板１４上への記録媒体Ｐの到達時に搬送ベルト１３の外周面からの浮上を抑制することで、速やか且つ確実に搬送ベルト１３に吸着させる。
【００３５】
押さえローラー１８は、回転モーター２１８（図３参照）により搬送モーター２１１と連動して回転動作し、記録媒体Ｐを搬送方向に移動させる。また、押さえローラー１８は、軸１８１及び／又はその支持部材を昇降駆動部３１８（図３参照）により上下動させることで、その搬送ベルト１３の外周面からの距離ΔＧを変更設定可能とされている。昇降駆動部３１８としては、例えば、エアシリンダーを有し、空気圧に応じた距離ΔＧで調整、固定される。これにより、押さえローラー１８の下端と搬送ベルト１３の外周面とのギャップ幅Δｇが適切な距離とされる。また、ここでは、記録媒体Ｐの搬送ベルト１３の外周面からの浮き上がり量が距離ΔＧと比較して十分小さくなるように、押さえローラー１８の回転半径が大きく定められる、及び／又は押さえローラー１８の前に更に浮き上がりを抑制する部材が設けられる。
【００３６】
また、押さえローラー１８は、図示略の加熱部が内部に設けられて、ヒーター駆動部８８（図３参照）により発熱動作が行われ、押さえローラー１８の表面が加熱されることで記録媒体Ｐを加熱することが可能であっても良い。加熱部としては、例えば、ジュール熱を生じる電熱線や膜などが用いられ、表面にはゴムなどの熱伝導性と弾性を有する部材が用いられる。
【００３７】
テンションローラー１９は、搬送ベルト１３のうち、２つの搬送ローラー１１、１２間において外周面がヘッドユニット２１とは対向しない側、即ち、駆動ローラー１１から従動ローラー１２へ搬送ベルト１３が移動する途中の位置で当該搬送ベルト１３を内周面の側から押圧することで適切な張力を与える。テンションローラー１９は、幅方向について異なる２箇所、例えば、両端でそれぞれ鉛直方向に上下に位置を設定可能であり、支持板１４などにより搬送ベルト１３が受ける張力の不均一に応じて生じる蛇行を補正して、搬送ベルト１３及び記録媒体を正常に搬送方向へ移動させる。
【００３８】
画像記録部２０は、インクを吐出する記録ヘッドを有する一又は複数、ここでは４つのヘッドユニット２１（インク吐出部）を備える。各ヘッドユニット２１の支持板１４の支持面（記録媒体Ｐ）と対向する側の面は、記録ヘッドが配列され、ノズルの開口部が各々設けられたインク吐出面となっており、搬送ベルト１３により支持板１４の支持面上を搬送される記録媒体Ｐに対して記録ヘッドの動作に応じてインクを吐出、着弾させる。
【００３９】
４つのヘッドユニット２１は、ここでは、各々シアン（Ｃ）、マゼンタ（Ｍ）、イエロー（Ｙ）及び黒色（Ｋ）の各色のインクタンク（図示略）と接続され、これらＣＭＹＫ各色のインクをそれぞれ吐出する。これらヘッドユニット２１から記録媒体Ｐへのインク着弾位置より搬送方向下流側には、インクの特性に応じて着弾したインクを定着されるための構成、例えば、溶媒成分を乾燥させる乾燥部や、紫外線硬化型インクを反応固化させる紫外線照射部などが更に設けられていても良い。
【００４０】
媒体排出部４０は、搬送部１０から送り出された記録媒体Ｐが載置される板状の排出トレー４１等を有し、画像記録後の記録媒体Ｐをユーザーにより取り出されるまで格納する。排出トレー４１は、上下方向に移動可能に構成されて、搬送部１０の支持面の高さからの記録媒体Ｐの落下量を適切な範囲内に調節しても良い。
搬送部１０と媒体排出部４０との間には、記録媒体Ｐをより安全且つ確実に媒体排出部４０に送出するためのローラーやベルトなどを備えたデリバリー部が設けられていても良い。例えば、ガイドローラー１７の上方を通過した記録媒体Ｐを排出トレー４１上における最上の記録媒体Ｐの更に上に導くように２つのローラー間に架け渡されたベルトが設けられていても良い。
【００４１】
図３は、インクジェット記録装置１００の機能構成を示すブロック図である。
インクジェット記録装置１００は、搬送駆動部５２及び搬送モーター２１１（周回駆動部）と、フィーダー検出部２３２（計測部）と、回転モーター２１８（ローラー動作部）及び昇降駆動部３１８（移動動作部）と、吸引駆動部５５及び吸引部１５と、テンション調整部２１９と、ヘッド駆動部２２１と、通信部７１と、操作表示部７２（報知動作部、操作受付部）と、制御部６０と、ヒーター駆動部８８と、バス７９などを備える。
【００４２】
搬送モーター２１１は、搬送駆動部５２により駆動されて所定の速さで回転動作することで駆動ローラー１１を回転動作させる回転モーターである。この駆動ローラー１１の回転に応じて搬送ベルト１３が周回移動する。搬送駆動部５２は、搬送モーター２１１及び回転モーター２１８に駆動電圧を供給して制御部６０の制御に応じた速度で搬送モーター２１１及び回転モーター２１８を連動して回転駆動し、駆動ローラー１１と押さえローラー１８（即ち、搬送される記録媒体Ｐの移動速度）を同期して回転動作させる。
搬送モーター２１１と搬送ローラー１１、１２とにより搬送動作部が構成される。
【００４３】
フィーダー検出部２３２は、媒体供給部３０において、送出する記録媒体Ｐを検出し、媒体出力部３２の２つのローラー間の距離に応じた信号を制御部６０に出力する。フィーダー検出部２３２は、媒体出力部３２により出力される記録媒体Ｐの厚さに応じた値を計測して出力可能なものであれば良く、例えば、光線（赤外線など）を出射する発光部と発光部から出射された光の反射光を検出する検出部とを備え、記録媒体Ｐの表面及び裏面とそれぞれ対向する位置から光線を照射して当該記録媒体Ｐで反射させ、反射光量や反射光の出射光との位相ずれなどを用いた周知の技術により出射位置から記録媒体Ｐの表面及び裏面までの距離を計測して差分を厚さとして算出するものなどであっても良い。この場合、記録媒体Ｐは、圧縮などで当初の厚さとは異なっていない状態である必要がある。また、表面の位置のみから厚さを算出する場合、フィーダー検出部２３２は、更に、確実に記録媒体Ｐの浮き上がりが生じていない状態で計測する必要がある。
【００４４】
回転モーター２１８は、上述のように、搬送駆動部５２に駆動されて搬送モーター２１１と連動して回転動作し、記録媒体Ｐを搬送方向に進める。また、押さえローラー１８を回転動作させることにより、記録媒体Ｐと押さえローラー１８との摩擦を低減し、スムーズに記録媒体Ｐを搬送ベルト１３に沿って誘導する。
【００４５】
昇降駆動部３１８は、上述のように、押さえローラー１８を上下方向に移動させて、押さえローラー１８（ローラー１８の軸１８１）と搬送ベルト１３の外周面との距離（相対距離）を変化（変更）させる。この昇降駆動部３１８は、駆動動作が行われていない状況では、最後に設定された距離で押さえローラー１８を維持するものが好ましい。
【００４６】
吸引駆動部５５は、支持板１４及び搬送ベルト１３を介した空気の吸引動作を吸引部１５により行わせる。吸引部１５は、例えば、ブロワー（送風機）などを有し、搬送ベルト１３の外周面側から支持板１４の裏側方向へと空気を流すように送風させることで吸引力を生じさせる。ブロワーは、必要な吸引能力に応じて複数設けられても良く、記録媒体Ｐが略均等に搬送ベルト１３に吸着されるように適切に配置され、また、制御部６０により吸引量が制御される。
吸引部１５及び吸引駆動部５５により吸着動作部が構成される。
【００４７】
テンション調整部２１９は、テンションローラー１９を上下動させて搬送ベルト１３の張力を適切に保ち、搬送ベルト１３を弛みや歪みなく正常に周回移動させる。テンション調整部２１９としては、昇降駆動部３１８と同様にエアシリンダーなどを用いることが出来る。この場合、テンション調整部２１９は、テンションローラー１９が幅方向に均等な張力となるように当該幅方向について均一ではない調整が可能となっている。
【００４８】
制御部６０は、インクジェット記録装置１００の全体動作を統括制御する。
制御部６０は、ＣＰＵ６１（Central Processing Unit）、ＲＡＭ６２（Random Access Memory）、ＲＯＭ６３（Read Only Memory；対応記憶部）、記憶部６４などを備える。
【００４９】
ＣＰＵ６１は、各種演算処理を行い、また、インクジェット記録装置１００の制御動作を行う。
ＲＡＭ６２は、ＣＰＵ６１に作業用のメモリー空間を提供し、一時データを記憶する。ＲＡＭ６２としては、ＤＲＡＭやＳＲＡＭなどが適切な容量ずつ設けられる。
ＲＯＭ６３は、制御プログラムや初期設定データなどを格納する。ＲＯＭ６３としては、マスクＲＯＭに加えて書き換え更新可能な不揮発性メモリーが用いられていても良い。ＲＯＭ６３の格納データには、記録媒体Ｐの厚さと押さえローラー１８から搬送ベルト１３の外周面までの距離との対応関係に係る設定を記憶する高さ調整テーブル６３１が含まれている。或いは、この高さ調整テーブル６３１は、記憶部６４に記憶されても良い。
記憶部６４は、インクジェット記録装置１００による出力画像データや画像出力に係る設定（ジョブデータ）などを記憶する。また、記憶部６４は、インクジェット記録装置１００の動作に係る各種状況（ステータス）データの履歴や異常に対する対処設定（補完設定など）を記憶する。
【００５０】
通信部７１は、外部のＰＣ端末やプリントサーバーなどの電子機器や記憶媒体などと通信を行って情報の送受信を行う。通信部７１としては、ＬＡＮによる有線又は無線による通信に係る各種通信規格に対応した通信制御を行う他、フラッシュメモリーなどの各種可搬型記録媒体とのデータのやり取りなどを制御可能である。
【００５１】
操作表示部７２は、押しボタンスイッチやタッチセンサーなどを備え、外部からの所定の入力動作を検出して（入力操作を受け付けて）検出信号を制御部６０に出力する。また、操作表示部７２は、液晶表示画面などの表示画面を備え、制御部６０の制御動作に応じて当該表示画面を駆動して、ステータスやメニューなどの表示を行う。タッチセンサーと表示画面とは、重ねて設けられて、表示画面がタッチパネルとして用いられて良い。また、表示部としては、表示画面の他にＬＥＤランプなどを有し、点灯や点滅状態などに応じて所定の報知動作を行うことが可能とされても良い。
【００５２】
ヒーター駆動部８８は、上述のように、押さえローラー１８内部や媒体供給部３０内の加熱部などに発熱動作を行わせることで記録媒体Ｐの加熱を行う。加熱部がジュール熱を発するものである場合には、ヒーター駆動部８８は、適宜な電圧及び電流で加熱部に通電させることで適切な温度で発熱させる。
【００５３】
バス７９は、制御部６０と上述の各部との間で信号をやり取りする信号経路である。
【００５４】
次に、本実施形態のインクジェット記録装置１００における押さえローラー１８の位置調整動作について説明する。
【００５５】
本実施形態のインクジェット記録装置１００では、記録媒体Ｐの厚さに応じて搬送ベルト１３の外周面からの押さえローラー１８の高さ（距離）を変更する。押さえローラー１８は、記録媒体Ｐの浮き上がりを防止するために、記録媒体Ｐの表面に接触するように配置される。
【００５６】
図４は、押さえローラー１８と記録媒体Ｐとの位置関係について説明する図である。
押さえローラー１８の位置が固定されていると、記録媒体Ｐが厚くなるほど、記録媒体Ｐが搬送されることで当該記録媒体Ｐは押さえローラー１８の下端よりも上方、即ち、押さえローラー１８の回転軸に近い高さの位置で当該押さえローラー１８に衝突することになる。図４（ａ）に示すように、押さえローラー１８の下端と搬送ベルト１３の外周面とのギャップ幅Δｇが記録媒体Ｐの厚さΔｗ１よりも僅かに小さい程度の場合には、記録媒体Ｐが押さえローラー１８を押し上げる向きの力（即ち、押さえローラー１８が記録媒体Ｐを押す力）が小さく、また、この力の搬送方向についての成分も小さいので、押さえローラー１８に加わる衝撃が大きくならない。一方で、図４（ｂ）に示すように、記録媒体Ｐの厚さΔｗ２が増すと、押さえローラー１８を押し上げる力（押さえローラー１８が記録媒体Ｐを押す力）が増加するとともに、当該押さえローラー１８を搬送方向に押す成分も増加して、押さえローラー１８に対して大きな衝撃が加わる。その結果、特に、記録媒体Ｐが高速で搬送される場合や、記録媒体Ｐの剛性や質量が大きい場合には、押さえローラー１８の支持部材などを介して搬送部１０全体に衝撃が伝わって無視できない大きな振動が生じることになる。
【００５７】
なお、押さえローラー１８と当接する前の記録媒体Ｐが湾曲（カール）するなどにより大きく搬送ベルト１３の表面から浮上していると、当該記録媒体Ｐは、浮上していない場合と比較して、押さえローラー１８の下端よりも回転軸に近い位置で当該押さえローラー１８に衝突することになる。このような場合には、結局押さえローラー１８に加わる力や向きが搬送部１０の振動を誘発しやすくなる。この悪影響を低減するために、想定される湾曲量に比して押さえローラー１８の回転半径を大きく設定することで、湾曲があっても押さえローラー１８の回転軸よりも下端側に近い位置で当接し易くすることが出来る。また、上述のように、押さえローラー１８の更に上流側に大きな浮き上がりを規制する他の浮き上がり抑制部が設けられていても良い。この場合、この浮き上がり抑制部に対する記録媒体Ｐの衝撃が搬送部１０の振動に繋がらないように、傾斜の緩やかな構造で徐々に浮き上がりを抑制したり、或いは浮き上がり抑制部が搬送部１０に固定されない構造を用いたりすることが出来る。
【００５８】
同様に、図４（ｃ）に示すように、記録媒体Ｐが押さえローラー１８の下部から外れる際にも、記録媒体Ｐの厚さΔｗ２とギャップ幅Δｇとの間に大きな差がある場合には、押さえローラー１８を上方に持ち上げていた記録媒体Ｐがなくなることで押さえローラー１８が急激に移動して大きな振動が生じ得る。
【００５９】
インクジェット記録装置１００では、記録媒体Ｐの厚さに応じて押さえローラー１８の位置を調整して、搬送される記録媒体Ｐが押さえローラー１８の下端付近でのみ接触させることで、記録媒体Ｐの浮上を確実に抑制しつつ搬送部１０への衝撃の増大を抑制する。更に、これによって記録媒体Ｐを必要以上に押圧しないので、フルート構造を有する中芯が用いられた段ボール材などを記録媒体Ｐとする場合に、当該記録媒体Ｐを圧縮変形させない。搬送対象となる記録媒体Ｐの厚さは、ここでは、ユーザーによる操作表示部７２への入力操作の内容に応じた設定や、プリントジョブに含まれる記録媒体選択情報などに基づいて外部から取得されて予め定められている。
即ち、通信部７１及び操作表示部７２は、媒体厚取得部を構成する。媒体厚取得部には、フィーダー検出部２３２が含まれ得る。
【００６０】
図５は、本実施形態の搬送開始制御処理の制御部６０による制御手順を示すフローチャートである。
搬送開始制御処理が開始されると、制御部６０（ＣＰＵ６１）は、記録媒体Ｐの厚さを取得する（ステップＳ１０１）。なお、取得データがない場合には、制御部６０は、操作表示部７２に制御信号を出力して設定を入力するように表示させる報知動作を行っても良い。制御部６０は、高さ調整テーブル６３１を参照し、取得された記録媒体Ｐの厚さに対応する押さえローラー１８の位置設定を取得する（ステップＳ１０２）。
【００６１】
制御部６０は、昇降駆動部３１８に制御信号を出力し、押さえローラー１８の高さを調整させる（ステップＳ１０３）。制御部６０は、搬送駆動部５２に制御信号を出力して媒体出力部３２及び搬送モーター２１１を動作させる（ステップＳ１０４）。
【００６２】
制御部６０は、フィーダー検出部２３２から記録媒体Ｐの厚さに係る検出データを取得する（ステップＳ１０５）。制御部６０は、これらの検出データから得られる記録媒体Ｐの厚さが設定値と比較して所定の基準誤差範囲（基準範囲）内にあるか否かを判別する（ステップＳ１０６）。基準誤差範囲内にあると判別された場合には（ステップＳ１０６で“ＹＥＳ”）、搬送開始制御処理を終了する。基準誤差範囲内にないと判別された場合には（ステップＳ１０６で“ＮＯ”）、制御部６０は、搬送駆動部５２に制御信号を出力して記録媒体Ｐの搬送動作を中止させる。また、制御部６０は、操作表示部７２に制御信号を出力して所定の報知動作を行わせる（ステップＳ１０７）。それから、制御部６０は、搬送開始制御処理を終了する。
【００６３】
なお、ユーザーによる設定がなされていない場合やプリントジョブに設定が含まれない場合に、制御部６０は、ステップＳ１０１の処理において、媒体供給部３０に制御信号を出力し、記録媒体Ｐの厚さをフィーダー検出部２３２により検出させて当該検出結果を取得しても良い。この場合、ステップＳ１０５の処理は省略され、又は、制御部６０は、検出結果が正常な厚さの範囲内であるか否かの判定を行う。また、制御部６０は、異常の有無に拘わらず、計測された記録媒体の厚さやこれに対応するものとして特定された記録媒体Ｐの種別などを操作表示部７２に表示させることとしても良い。
【００６４】
また、記録媒体Ｐの厚さがフィーダー検出部２３２により最初に取得されるまで、制御部６０は、記録媒体Ｐの搬送速度を通常の画像記録時の搬送速度（通常速度）より低下させた値に定めることが出来る。記録媒体Ｐがヘッドユニット２１のインク吐出面と対向する位置に到達するまでに搬送速度が通常速度にまで上昇しない場合には、ヘッド駆動部２２１は、当該搬送速度に応じてヘッドユニット２１の記録ヘッドにより記録媒体Ｐ上の適切な位置にインクの吐出を行わせる。
【００６５】
［変形例］
図６は、インクジェット記録装置の全体構成の変形例を示す図である。
図６（ａ）に示す変形例では、搬送ベルト１３が支持板１４上から外れた後（搬送方向について下流側）において、ガイドローラー１７と対向して後端押さえローラー１８ａが設けられている。これにより、記録媒体Ｐの先端（搬送方向下流側端部）が支持板１４上から外れて吸着が終了した後、当該記録媒体Ｐの後端（搬送方向上流側端部）付近での画像の記録が未だ継続されている状況で、記録媒体Ｐの先端側の浮き上がりや振動などで後端側の画像記録に悪影響を及ぼすのを抑える。
【００６６】
この後端押さえローラー１８ａについても、押さえローラー１８と同様に記録媒体Ｐの厚さに応じて軸１８１ａの位置を上下させることで、記録媒体Ｐの後端押さえローラー１８ａへの衝突や、記録媒体Ｐが後端押さえローラー１８ａから離れる際の振動の増大を抑えつつ適切に当該記録媒体Ｐの浮上を抑えることが出来る。
【００６７】
また、図６（ｂ）に示す変形例では、ガイドローラー１６、１７が設けられておらず、押さえローラー１８及び後端押さえローラー１８ａは、記録媒体Ｐをこれらガイドローラー１６、１７との間で挟持するのではなく、単純に一方から押さえる。この場合、押さえローラー１８及び後端押さえローラー１８ａの下端が記録媒体Ｐの表面と比較して低過ぎると、記録媒体Ｐが押さえローラー１８及び後端押さえローラー１８ａに衝突するときの衝撃が大きくなるだけではなく、記録媒体Ｐの移動方向も変化し得るので、記録媒体Ｐをより確実に搬送ベルト１３の外周面に沿って移動させるように距離ΔＧ（即ちギャップ幅Δｇ）が調整されることが望ましい。
なお、押さえローラー１８及び後端押さえローラー１８ａは、搬送ローラー１１、１２と対向して配置されても良い。
【００６８】
以上のように、本実施形態のインクジェット記録装置１００が備える搬送部１０は、記録媒体Ｐを載置させる搬送ベルト１３と、搬送ベルト１３を周回移動させて、インクを吐出するヘッドユニット２１のインク吐出面と対向させる範囲を少なくとも含む範囲で記録媒体Ｐを搬送する駆動ローラー１１及び搬送モーター２１１と、搬送ベルト１３上に載置された記録媒体Ｐを当該搬送ベルト１３に吸着させる吸引部１５及び吸引駆動部５５と、搬送ベルト１３上に載置される記録媒体Ｐを当該搬送ベルト１３に対して押下することで、記録媒体Ｐの搬送ベルト１３からの浮き上がりを抑制する押さえローラー１８と、押さえローラー１８と搬送ベルト１３の外周面との距離ΔＧを変更させる昇降駆動部３１８と、搬送対象の記録媒体Ｐの厚さを取得する媒体厚取得部としての通信部７１及び操作表示部７２と、媒体厚取得部により取得された記録媒体Ｐの厚さが大きいほど距離ΔＧが大きくなるように昇降駆動部３１８の動作を制御する制御部６０と、を備える。
これにより、記録媒体Ｐの厚さに応じた適切な圧力で記録媒体Ｐの浮き上がりを抑制し、確実に吸引部１５及び吸引駆動部５５の動作により搬送ベルト１３に確実に吸着させる。記録媒体Ｐを必要以上に圧縮したり、圧縮に伴って表面の性質を変化させたりしない。また、記録媒体Ｐの有無に応じて押さえローラー１８に係る応力が大きく変化しないので、当該応力の急激な変化に応じた高さ方向への振動を抑える。また、記録媒体Ｐが特に浮き上がって押さえローラー１８に当接する際の押さえローラー１８への衝撃を低減させるので、この衝撃に伴う押さえローラー１８の搬送方向への振動を抑える。このような振動の発生を抑えることで、ヘッドユニット２１からのインク吐出時におけるインクの着弾地点のぶれを抑える。このように、この搬送部１０では、記録媒体Ｐをより安定且つ確実に保持することが出来、これにより、記録媒体Ｐ上のより正確な位置にインクを着弾させることが出来るようになり、画質の維持向上を図ることが出来る。
【００６９】
また、記録媒体Ｐの厚さと距離ΔＧとの対応関係を示す高さ調整テーブル６３１を記憶するＲＯＭ６３を備え、制御部６０（ＣＰＵ６１）は、高さ調整テーブル６３１の対応関係に応じて昇降駆動部３１８により距離ΔＧを変更させる。
このように予めテーブルデータを記憶させておくことで、容易且つ簡便に押さえローラー１８を適切な位置に移動させ、適正な画像記録動作を行わせることが出来る。
【００７０】
また、押さえローラー１８は、少なくとも、記録媒体Ｐがインク吐出面と対向する位置よりも記録媒体Ｐの搬送方向について上流側に設けられている。これにより、ヘッドユニット２１によるインク吐出時に確実に記録媒体Ｐを搬送ベルト１３に吸着させて正確な位置にインクを着弾させることが出来る。また、浮き上がった状態で供給された記録媒体Ｐに対し、より適切な高さに設けられることで、記録媒体Ｐが押さえローラー１８に当接する際の衝撃をより効果的に低減させることが出来る。
【００７１】
また、押さえローラー１８は、吸引部１５による吸着範囲外で記録媒体Ｐを搬送ベルト１３に対して押下する。これにより、記録媒体Ｐを搬送ベルト１３に沿ったより適切な位置で吸着範囲に導入しつつ、このときの押さえローラー１８と記録媒体Ｐとの位置関係に応じた搬送部１０の揺れなどを効果的に抑えることが出来る。また、吸着範囲に支持板１４が用いられている場合には、この支持板１４を直接押下しないことで、変形などの問題を生じさせない。
【００７２】
また、搬送ベルト１３は、無端状の帯状部材を含み、搬送動作部は、搬送ベルト１３が架け渡される複数のローラー（駆動ローラー１１及び従動ローラー１２）と、駆動ローラー１１を回転動作させて搬送ベルト１３を周回移動させる搬送モーター２１１と、を有し、記録媒体Ｐを搬送ベルト１３の外周面上に載置させて記録媒体Ｐを搬送する。
無端状のベルトを用いた搬送部１０では、局所的な振動が全体に伝わりやすいので、上述のように記録媒体Ｐの導入時や排出時などに振動を生じさせないようにしつつ安定且つ適切に記録媒体をさせることで、出力画像の維持向上を図ることが出来る。
【００７３】
また、吸引部１５は、吸引駆動部５５の駆動により搬送ベルト１３の開口を介して吸引動作を行うことで、搬送ベルト１３の外周面に記録媒体を吸着させる。このように空気吸引で吸着を行わせることで、構成を複雑にせずに容易に適切な記録媒体の着脱が可能となる。
【００７４】
また、搬送ベルト１３の外周面がインク吐出面と対向する位置を少なくとも含む範囲で搬送ベルト１３を支持する支持板１４を備え、吸引部１５は、吸引駆動部５５の駆動により、支持板１４及び搬送ベルト１３のそれぞれにおける開口を介して吸引動作を行うことで、搬送ベルト１３の外周面に記録媒体Ｐを吸着させる。このように、搬送ベルト１３を支持板１４（プラテン）で支持することで安定的に搬送ベルト１３を周回移動させるとともに、この搬送ベルト１３に記録媒体Ｐを吸着させることで、より正確な位置で画像の記録動作を行わせることが出来る。また、支持板１４として発泡部材などの多孔質体を用いることで、容易且つ確実にムラの少ない記録媒体Ｐの吸着動作を行うことが出来る。
【００７５】
また、搬送ベルト１３にはスチールベルトが用いられることで、高速で高精度な搬送制御が可能となる。また、搬送ベルト１３自体の伸縮などによる振動が抑えられるので、より精度の高い画像記録が可能となる。
【００７６】
また、搬送ベルト１３を挟んで押さえローラー１８（１８ａ）の反対側には、搬送ベルト１３の移動動作を誘導するガイドローラー１６（１７）が設けられている。これにより、搬送ベルト１３を正確な移動経路に保って支持板１４上に導入することが出来るとともに、当該ガイドローラー１６（１７）により、押さえローラー１８（１８ａ）による押圧が記録媒体Ｐ及び搬送ベルト１３にかかるので、押さえローラー１８（１８ａ）の位置変更による押圧調整がより効果的となる。
【００７７】
また、押さえローラー１８と、この押さえローラー１８を回転動作させる回転モーター２１８と、を有し、押さえローラー１８（１８ａ）は、搬送される記録媒体Ｐのうち、搬送ベルト１３の外周面に当接させる面とは反対側の面と当接し、回転モーター２１８は、搬送される記録媒体Ｐの移動速度と同期して（即ち、駆動ローラー１１の回転速度と同期して）押さえローラー１８を回転動作させる。
このように、押さえローラー１８を記録媒体Ｐの移動速度に合わせて回転させることで、特に、浮き上がりを生じて押さえローラー１８に当接する記録媒体Ｐの衝撃を受け流しながら適切に当該記録媒体Ｐの浮き上がりを抑制して搬送ベルト１３に沿うように導くことが出来る。
【００７８】
また、搬送される記録媒体Ｐの厚さに応じた値を計測するフィーダー検出部２３２を備え、このフィーダー検出部２３２の計測結果に基づいて記録媒体Ｐの厚さを取得して、制御部６０は、当該記録媒体Ｐに応じた押さえローラー１８の位置を定める。
このように、記録媒体Ｐの厚さを実測することで、ユーザーの手間を要さずに記録媒体Ｐにとって最適な位置に押さえローラー１８を移動設定することが出来る。
【００７９】
また、表示動作を行う操作表示部７２を備え、当該操作表示部７２への入力操作や、通信部７１が受け付けてプリントジョブ中の設定データなどに基づいて予め記録媒体Ｐの厚さに係る情報が外部から取得され、制御部６０は、フィーダー検出部２３２の計測結果に基づく記録媒体の厚さと、予め外部から取得されている情報に基づく厚さとを比較して、これらの厚さに所定の基準範囲以上のずれがある場合には、操作表示部７２の表示画面に所定の表示を行わせる。
従って、ユーザーが直接又はプリントジョブ設定などにおいて、誤って設定を行った場合や、記録媒体の設定変更を反映していなかった場合や、反対に設定変更後に記録媒体が変更されていなかった場合などの状況を適切に検出してユーザーに知得させることが出来る。
【００８０】
また、外部からの入力操作を受け付ける操作受付部として機能する操作表示部７２を備え、この操作受付部（操作表示部７２）により受け付けられた入力操作の内容に基づいて記録媒体Ｐの厚さを取得する。
即ち、インクジェット記録装置１００（搬送部１０）のユーザーは、媒体供給部３０の記録媒体を交換する場合、その場で入力操作により容易に記録媒体Ｐの変更設定を行うことが出来るので、設定変更のし忘れを低減させることが出来る。
【００８１】
また、本実施形態のインクジェット記録装置１００は、上述の搬送部１０と、ヘッドユニット２１と、を備える。これにより、ヘッドユニット２１によりインクを吐出させて画像を記録する際に、記録媒体Ｐをより確実に安定して搬送ベルト１３により搬送しつつ、精度の低下に繋がる振動の発生を低減させることが出来る。
【００８２】
なお、本発明は、上記実施の形態に限られるものではなく、様々な変更が可能である。
例えば、上記実施の形態では、搬送部材として無端状ベルト、特にスチールベルトを用いる場合を例に挙げて説明したが、スチールベルト以外のゴムベルトなど各種樹脂製の搬送ベルトであっても同様に本発明を適用することが出来る。また、無端状ベルト以外、例えば、円筒状の筐体外周面が記録媒体Ｐの載置面とされる搬送部１０であっても良い。
【００８３】
また、搬送部材が筐体外周面などの剛体構造を有する場合には、支持板１４を備えなくても良い。また、支持板１４としては、多孔質体のものに限らず、人為的に多数の孔部が設けられた構造を有するものや、メッシュ構造のもの、これらの組み合わせなどが用いられても良い。
【００８４】
また、押さえローラー１８は、必ずしも回転モーター２１８によって回転動作される必要はなく、移動する記録媒体Ｐとの接触によって従動的に回転する構成であっても良い。或いは、回転せずに表面を記録媒体Ｐが滑っていく構成であっても良い。
【００８５】
また、上記実施の形態では、記録媒体Ｐの厚さだけではなく、記録媒体Ｐの材質や構造（段ボール材の強度など）の種別を考慮して、種別ごとに記録媒体Ｐの厚さと押さえローラー１８の位置（この場合、即ち、圧縮量と押圧強度）との関係を各々定めても良い。
【００８６】
また、上記実施の形態では、ブロワーによる送風により搬送ベルト１３の外周面側の空気を吸引することで（支持板１４の裏側へ送って）記録媒体Ｐを搬送部材に吸着させたが、ポンプなどで空気を吸引しても良い。また、空気の吸引以外の吸着方法、例えば、電磁気的に吸着させる構成を有して又は併用していても良い。
その他、上記実施の形態で示した構成、配置や制御内容、手順などの具体的な細部は、本発明の趣旨を逸脱しない範囲において適宜変更可能である。
【符号の説明】
【００８７】
１０   搬送部
１１   駆動ローラー
１２   従動ローラー
１３   搬送ベルト
１４   支持板
１５   吸引部
１６、１７    ガイドローラー
１８   押さえローラー
１８ａ 後端押さえローラー
１８１、１８１ａ     軸
１９   テンションローラー
２０   画像記録部
２１   ヘッドユニット
３０   媒体供給部
３１   載置トレー
３２   媒体出力部
４０   媒体排出部
４１   排出トレー
５２   搬送駆動部
５５   吸引駆動部
６０   制御部
６１   ＣＰＵ
６２   ＲＡＭ
６３   ＲＯＭ
６３１ 高さ調整テーブル
６４   記憶部
７１   通信部
７２   操作表示部
７９   バス
１００ インクジェット記録装置
２１１ 搬送モーター
２１８ 回転モーター
２１９ テンション調整部
２２１ ヘッド駆動部
２３２ フィーダー検出部
３１８ 昇降駆動部
Ｐ     記録媒体
Δｇ   ギャップ幅
ΔＧ   距離
【図１】
2018034937.tif 000003
【図２】
2018034937.tif 000004
【図３】
2018034937.tif 000005
【図４】
2018034937.tif 000006
【図５】
2018034937.tif 000007
【図６】
2018034937.tif 000008